(57)【要約】【課題】  排水性能が向上する排水栓を提供する。【解決手段】  洗面化粧台等の排水栓であって、排水栓本体２の排水用開口２ｃを開閉する排水栓蓋１３が上方に移動された時に、この排水栓蓋１３を傾斜状態で支持する支持手段１３ａ，１５，１５ａ，１６，１８が設けられて、排水栓蓋１３を傾斜状態とすることで、排水栓蓋１３と排水用開口２ｃとの間の隙間Ｔを広くして排水する。【選択図】  図２
2005068790.tif 000002
【特許請求の範囲】
【請求項１】
洗面化粧台等の排水栓であって、排水栓の排水用開口を開閉する排水栓蓋が上方に移動された時に、この排水栓蓋を傾斜状態で支持する支持手段が設けられていることを特徴とする排水栓。
【請求項２】
上記支持手段は、排水栓蓋の下面中心部を揺動自在に軸支する軸受部と、排水栓蓋の下面中心部から離れた部位を支持するアームとで構成されている請求項１記載の排水栓。
【請求項３】
上記軸受部は、排水栓蓋を上方向に移動させる操作手段に連結されている請求項２記載の排水栓。
【請求項４】
上記支持手段は、排水栓蓋の下面中心部を揺動自在に軸支する軸受部と、排水栓蓋の下面中心部から離れた部位に設けられたバランサーとで構成されている請求項１記載の排水栓。
【請求項５】
上記支持手段は、排水栓蓋の下面中心部から離れた部位を揺動自在に軸支する軸受部で構成されている請求項１記載の排水栓。
【発明の詳細な説明】
【技術分野】
【０００１】
本発明は、洗面化粧台や浴槽等の排水栓に関する。
【背景技術】
【０００２】
従来、洗面化粧台の洗面ボールにおける排水栓の排水用開口を開閉する排水栓蓋が設けられて、この排水栓蓋は、操作具の押下げ操作に連係して上方に移動された時に、排水用開口を開いて、洗面ボール内の水を排水するようにしたものがある（例えば、特許文献１参照）。
【特許文献１】特開平７−２２４４５１号公報
【発明の開示】
【発明が解決しようとする課題】
【０００３】
しかしながら、上記排水栓蓋は、水平状態を保って上下方向に移動される構造であったから、上方に移動された時には、排水栓蓋と排水用開口との間の隙間から排水されることになるが、その隙間は一般的に狭く設定されているために排水性能が悪いという問題があった。
【０００４】
本発明は、上記問題を解消するためになされたもので、排水性能が向上する排水栓を提供することを課題とするものである。
【課題を解決するための手段】
【０００５】
上記課題を解決するために、本発明は、洗面化粧台等の排水栓であって、排水栓の排水用開口を開閉する排水栓蓋が上方に移動された時に、この排水栓蓋を傾斜状態で支持する支持手段が設けられていることを特徴とする排水栓を提供するものである。
【０００６】
請求項２のように、上記支持手段は、排水栓蓋の下面中心部を揺動自在に軸支する軸受部と、排水栓蓋の下面中心部から離れた部位を支持するアームとで構成されていることが好ましい。
【０００７】
請求項３のように、上記軸受部は、排水栓蓋を上方向に移動させる操作手段に連結されている構成とすることが好ましい。
【０００８】
請求項４のように、上記支持手段は、排水栓蓋の下面中心部を揺動自在に軸支する軸受部と、排水栓蓋の下面中心部から離れた部位に設けられたバランサーとで構成されていることが好ましい。
【０００９】
請求項５のように、上記支持手段は、排水栓蓋の下面中心部から離れた部位を揺動自在に軸支する軸受部で構成されていることが好ましい。
【発明の効果】
【００１０】
本発明によれば、排水栓の排水用開口を開くために、排水栓蓋を上方に移動した時に、支持手段により排水栓蓋が傾斜状態で支持されるから、排水栓蓋を水平状態で支持する従来技術と比較して、排水栓蓋と排水用開口との間の隙間が広くなり、この広くなった隙間から排水されるので、排水性能が向上するようになる。
【００１１】
請求項２によれば、排水栓蓋の下面中心部を揺動自在に軸支する軸受部と、排水栓蓋の下面中心部から離れた部位を支持するアームとで支持手段を構成することにより、排水栓蓋を上方に移動する時に、アームで排水栓蓋の一部の移動を規制して、排水栓蓋を確実に傾斜状態とすることができる。
【００１２】
請求項３によれば、排水栓蓋を上方向に移動させる操作手段に軸受部を連結することにより、操作手段の操作に連係して排水栓蓋を上方に移動させることができる。
【００１３】
請求項４によれば、排水栓蓋の下面中心部を揺動自在に軸支する軸受部と、排水栓蓋の下面中心部から離れた部位に設けられたバランサーとで支持手段を構成することにより、排水栓蓋を上方に移動する時に、排水栓蓋の一部の移動を規制するアームを設けなくても、排水栓蓋をバランサーで確実に傾斜状態とすることができる。
【００１４】
請求項５によれば、排水栓蓋の下面中心部から離れた部位を揺動自在に軸支する軸受部で支持手段を構成することにより、排水栓蓋を上方に移動する時に、排水栓蓋の一部の移動を規制するアームを設けなくても、排水栓蓋を自重で確実に傾斜状態とすることができる。
【発明を実施するための最良の形態】
【００１５】
以下、本発明を実施するための最良の形態について、図面を参照しながら詳細に説明する。
【実施例１】
【００１６】
図１に示すように、洗面化粧台の洗面ボール１の底部に開けられた穴１ａに円筒状の排水栓本体２が上方から挿入され、この排水栓本体２の上端フランジ部２ａがパッキン３を介して上記穴１ａの上周縁部で当て止められるようになる。
【００１７】
上記排水栓本体２の下部外周には、下方からパッキン１２とオーバーフロー用ホース４のアダプター５と三角パッキン６とが挿入されて、この排水栓本体２の下部外周に形成された雄ねじ部２ｂにロックナット７を下方からねじ込むことにより、排水栓本体２が洗面ボール１の底部に水密状態で固定されるようになる。
【００１８】
上記排水栓本体２の下端内周には、階段状に屈曲された排水パイプ８の上端金具９がパッキン１０を介して嵌め込まれ、上記雄ねじ部２ｂに押えナット１１を下方からねじ込むことにより、排水パイプ８が排水栓本体２の下端部に水密状態で固定されるようになる。
【００１９】
上記排水栓本体２の上端の排水用開口２ｃには、この排水用開口２ｃを開閉する排水栓蓋１３が設けられるとともに、上記排水栓本体２の内部には、髪の毛やゴミ等を取るためのヘアーキャッチャー１４が係止される凸段部２ｄが形成されている。
【００２０】
上記排水栓蓋１３の中心に位置してロッド１５が配置されており、このロッド１５には、上記ヘアーキャッチャー１４が上下方向に移動可能に遊嵌されている。
【００２１】
図３（ａ）は排水栓蓋１３とロッド１５との関係を示す側面図、同（ｂ）は（ａ）の要部拡大底面図であって、排水栓蓋１３の下面中心部Ｏには、一対のヒンジ用リブ１３ａが形成されるとともに、ロッド１５の上端には、リブ部１３ａの間に嵌め込まれるヒンジ部１５ａが形成されて、このリブ部１３ｂとヒンジ部１５ａとにヒンジピン１６が打ち込まれることにより、ロッド１５の上端で排水栓蓋１５の下面中心部は、図３（ａ）において左右方向に揺動（傾斜）自在に支持されるようになる（矢印ａ参照）。
【００２２】
図１に示したように、上記ロッド１５の下端には重り１７が固定され、この重り１７の重量でロッド１５が下移動されることにより、排水栓蓋１３が下方に移動されて上記排水用開口２ｃを閉じるようになる（図１の状態）。
【００２３】
この排水栓蓋１３が排水用開口２ｃを閉じて水平状態を保っている位置において、排水栓蓋１３の下面中心部から離れた部位Ｐ１に一端部１８ａが係止される棒状のアーム１８が設けられ、このアーム１８の他端部１８ｂは、上記ヘアーキャッチャー１４に係止されている。
【００２４】
このアーム１８は、図２に示すように、上記ロッド１５が上移動されて排水栓蓋１３を中心部Ｏで上方に移動させようとする際に、排水栓蓋１３の中心部Ｏから離れた一側の部位（図では左側）Ｐ１が上方に移動しないように規制することにより、排水栓蓋１３の他側の部位（図では右側）を上方に移動させて（矢印ｂ参照）、排水栓蓋１３を大きく傾動させるようになる。
【００２５】
上記ロッド１５のヒンジ部１５ａと排水栓蓋１３のリブ１３ａとヒンジピン１６等の軸受部とアーム１８とは、排水栓蓋１３が上方に移動された時に、この排水栓蓋１３を傾動状態で支持する支持手段を構成する。
【００２６】
図１に示したように、上記洗面ボール１の周縁部等には、円筒状の支持金具２０がナット２１で固定されて、この支持金具２０の上部には、つまみ２２のシャフト部２２ａが上下移動可能に嵌合されている。
【００２７】
上記排水パイプ８の屈曲部８ａには、円筒状の支持金具２３がナット２４で固定されて、この支持金具２４の内部には、連動ロッド２５が上下移動可能に嵌合されている。
【００２８】
上記支持金具２０の下部には、レリーズ２７のアウターチューブ２７ａの上端部２７ｂがナット２８で固定されるとともに、上記支持金具２３の下部には、レリーズ２７のアウターチューブ２７ａの下端部２７ｃが上記ナット２４で固定されている。
【００２９】
このレリーズ２７のアウターチューブ２７ａ内のインナーケーブル２７ｄの上端部２７ｅは、上記支持金具２０内でつまみ２２のシャフト部２２ａの下端に嵌合されるとともに、下端部２７ｆは、上記支持金具２３内で連動ロッド２５の下端に嵌合されている。
【００３０】
上記排水栓蓋１３が重り１７の重量で下移動されて、排水栓蓋１３が排水用開口２ｃを閉じている状態では、重り１７が連動ロッド２５を押し下げて、つまみ２２が上方に押し上げられている。
【００３１】
上記つまみ２２、連動ロッド２５、レリーズ２７等は、排水栓蓋１３を上方向に移動させる操作手段を構成する。
【００３２】
上記のように構成した排水栓の作用を説明する。上記排水栓蓋１３が排水用開口２ｃを閉じている図１の状態において、洗面ボール１に水が溜められているとする。
【００３３】
この状態から図２のように、つまみ２２を指で下方に押し下げると、インナーケーブル２７ｄを介して連動ロッド２５が上移動され、ロッド１５および排水栓蓋１３が上方に移動されようとする際に、アーム１８によって排水栓蓋１３が大きく傾動されるようになる。
【００３４】
これにより、排水栓蓋１３と排水用開口２ｃとの間の隙間Ｔが広くなり、この広くなった隙間Ｔから洗面ボール１に溜められた水が排水されるので、排水性能が向上するようになる。
【００３５】
また、排水栓蓋１３の下面中心部Ｏをロッド１５等で揺動自在に軸支するとともに、排水栓蓋１３の下面中心部Ｏから離れた部位Ｐ１とヘアーキャッチャー１４との間をアーム１８で係止することにより、排水栓蓋１３をロッド１５で上方に移動させる時に、アーム１８で排水栓蓋１３の離れた部位Ｐ１の移動を規制して、排水栓蓋１３を確実に傾斜状態とすることができる。
【００３６】
さらに、つまみ２２にレリーズ２７を介してロッド１５等を連結することにより、つまみ２２の押し下げ操作に連係して排水栓蓋１３をさらに上方に移動させることもできる。
【実施例２】
【００３７】
実施例１は、アーム１８によって排水栓蓋１３を傾斜状態とするようにしたものであるが、図４（ａ）（ｂ）に要部のみを示すように、アーム１８を設ける代わりに、排水栓蓋１３の下面中心部Ｏから離れた部位Ｐ１にバランサー３０Ａ，３０Ｂを設ける構成としても良い。
【００３８】
このバランサー３０Ａ，３０Ｂとしては、図４（ａ）のように重量化のための重り３０Ａであっても良いし、図４（ｂ）のように軽量化のための窪み３０Ｂであっても良い。重り３０Ａの場合には、重り３０Ａ側が重くなるので、排水栓蓋１３は、重り３０Ａ側に傾動し（二点鎖線参照）、窪み３０Ｂの場合には、窪み３０Ｂ側が軽くなるので、排水栓蓋１３は、窪み３０Ｂの反対側に傾動するようになる（二点鎖線参照）。
【００３９】
このように構成すれば、ロッド１５で排水栓蓋１３を上方に移動する時に、排水栓蓋１３の一部の移動を規制するアーム１８を設けなくても、排水栓蓋１３をバランサー３０Ａ，３０Ｂで確実に傾斜状態とすることができる。
【実施例３】
【００４０】
実施例１は、アーム１８によって排水栓蓋１３を傾斜状態とするようにしたものであるが、図５に要部のみを示すように、排水栓蓋１３の下面中心部Ｏから離れた部位Ｐ２にヒンジ用リブ１３ａを形成するとともに、これに対応させて離れた部位Ｐ２にオフセットさせたロッド１５のヒンジ部１５ａをリブ１３ａの間に嵌め込んで、リブ１３ｂとヒンジ部１５ａとにヒンジピン１６を打ち込むことにより、ロッド１５の上端で、排水栓蓋１５の下面中心部Ｏから離れた部位Ｐ２を左右方向に揺動（傾斜）自在に支持する（矢印ａ参照）構成としても良い。
【００４１】
このように構成すれば、ロッド１５で排水栓蓋１３を上方に移動する時に、排水栓蓋１３の一部の移動を規制するアーム１８を設けなくても、排水栓蓋１３を自重で確実に傾斜状態とすることができる。
【図面の簡単な説明】
【００４２】
【図１】実施例１の排水栓蓋が閉じ位置の排水栓の断面図である。
【図２】実施例１の排水栓蓋が開き位置の排水栓の断面図である。
【図３】（ａ）は排水栓蓋とロッドとの関係を示す側面図、（ｂ）は（ａ）の要部拡大底面図である。
【図４】（ａ）（ｂ）は、実施例２の排水栓蓋とロッドとの関係を示す側面図である。
【図５】実施例３の排水栓蓋とロッドとの関係を示す側面図である。
【符号の説明】
【００４３】
１      洗面ボール
２      排水栓本体
２ｃ    排水用開口
１３    排水栓蓋
１３ａ  ヒンジ用リブ（軸受部…支持手段）
１５    ロッド（軸受部…支持手段）
１５ａ  ヒンジ部（軸受部…支持手段）
１６    ヒンジピン（軸受部…支持手段）
１８    アーム（支持手段）
２２    つまみ（操作手段）
２５    連動ロッド（操作手段）
２７    レリーズ（操作手段）
３０Ａ，３０Ｂ  バランサー
Ｏ      下面中心部
Ｐ１    離れた部位
Ｐ２    離れた部位
Ｔ      隙間
【図１】
2005068790.tif 000003
【図２】
2005068790.tif 000004
【図３】
2005068790.tif 000005
【図４】
2005068790.tif 000006
【図５】
2005068790.tif 000007